(57)【要約】【課題】電子楽器に搭載される同一の操作パネルを複数の機種に対応させることによって、その操作パネルの生産個数を増大させてその製造コストを低減すること。【解決手段】電子楽器が下位機種の場合には、互いに隣接するようパネルＳＷ／ＬＣＤ２０上に装着された音色スイッチ２１，２２がカバー２３によって覆われ、ＣＰＵ３０が、音色スイッチ２１，２２のうちの何れが押圧されても同一の機能を実現するよう設定される。一方、電子楽器が上位機種の場合には、音色スイッチ２１，２２がカバー２４，２５によってそれぞれ覆われ、ＣＰＵ３０が、音色スイッチ２１がカバー２４を介して押圧された場合には音色スイッチ２１に対応する機能を実現し、音色スイッチ２２がカバー２５を介して押圧された場合には音色スイッチ２２に対応する機能を実現するよう設定される。【選択図】図２
2008003378.tif 000002
【特許請求の範囲】
【請求項１】
電子楽器に搭載され、演奏者による操作に応じて各種機能を実現する電子楽器の操作パネルであって、
操作パネル本体と、
複数の機能を実現可能な回路基板と、
前記操作パネル本体に装着され、前記複数の機能それぞれに対応する複数のスイッチと、
を備え、
前記複数のスイッチは、互いに隣接するよう前記操作パネル本体に装着され、
当該操作パネルが前記複数の機能すべてを有する機種の電子楽器に搭載される場合には、前記複数のスイッチそれぞれを覆うよう配置されて演奏者による押圧力を前記複数のスイッチそれぞれに伝達する複数のカバーを備えるとともに前記回路基板については前記複数のスイッチのうちの何れかが押圧された場合にその押圧されたスイッチに対応する機能を実現するよう設定され、一方、当該操作パネルが前記複数の機種のうちの何れかである特定の機能を有する機種の電子楽器に搭載される場合には、前記複数のスイッチすべてを覆うよう配置されて演奏者による押圧力を前記複数のスイッチそれぞれに伝達する特定のカバーを備えるとともに前記回路基板については前記特定のカバーを介して前記複数のスイッチのうちの何れかが押圧された場合に前記特定の機能を実現するよう設定されることを特徴とする電子楽器の操作パネル。
【請求項２】
請求項１に記載の電子楽器の操作パネルにおいて、
前記特定のカバーについては、前記複数のスイッチすべてを覆うことが可能な寸法に形成することを特徴とする電子楽器の操作パネル。
【請求項３】
請求項１または請求項２に記載の電子楽器の操作パネルにおいて、
前記複数のスイッチのうちの何れかが押圧された場合にその押圧されたスイッチに対応する機能を実現する第一の設定と、前記特定のカバーを介して前記複数のスイッチのうちの何れかが押圧された場合に前記特定の機能を実現する第二の設定とで前記回路基板本体の設定を切り替え可能な設定切替手段を備えることを特徴とする電子楽器の操作パネル。
【請求項４】
請求項３に記載の電子楽器の操作パネルにおいて、
前記設定切替手段は前記回路基板に設けられていることを特徴とする電子楽器の操作パネル。
【発明の詳細な説明】
【技術分野】
【０００１】
本発明は、電子楽器に搭載される操作パネルに関し、特に、同一の操作パネルを複数の機種に対応させる技術に関する。
【背景技術】
【０００２】
ピアノやオルガン、ストリングアンサンブルなど様々な音色で楽音を発生させる電子楽器が知られている。このような電子楽器においては、コンサートホールやスタジオ、ステージなどの臨場感を演出するために、楽音に対して残響効果を付与するリバーブ機能など様々なエフェクト機能を備えるものがある（例えば、特許文献１参照。）。
【０００３】
しかし、上述のようなエフェクト機能などの各種機能については、演奏者によっては不要な場合もある。そこで、例えば音量調整機能などの基本的な機能のみを備える下位機種や、基本的な機能に加えて例えばエフェクト機能などの付加的な機能を備える上位機種など、搭載する機能が異なる複数の機種を用意することが行われている。この場合、上述のように機種によっては搭載する機能が異なるため、演奏者による操作に応じて各種機能を実現するための操作パネルを機種ごとに設計および製作する必要がある。
【特許文献１】特許２５８６０９４号公報（第１８頁、図１６）
【発明の開示】
【発明が解決しようとする課題】
【０００４】
しかし、上述のような電子楽器においては、上述のように操作パネルを機種ごとに設計および製作する必要があるため、各操作パネルの生産個数が少なくなり、その製造コストが増大するといった問題があった。
【０００５】
本発明は、このような不具合に鑑みなされたものであり、その目的とするところは、電子楽器に搭載される同一の操作パネルを複数の機種に対応させることによって、その操作パネルの生産個数を増大させてその製造コストを低減することにある。
【課題を解決するための手段】
【０００６】
上記課題を解決するためになされた請求項１に係る電子楽器の操作パネルは、電子楽器（１：この欄においては、発明に対する理解を容易にするため、必要に応じて「発明を実施するための最良の形態」欄で用いた符号を付すが、この符号によって請求の範囲を限定することを意味するものではない。）に搭載され、演奏者による操作に応じて各種機能を実現する電子楽器の操作パネルであって、操作パネル本体（２０）と、複数の機能を実現可能な回路基板（３０）と、前記操作パネル本体に装着され、前記複数の機能それぞれに対応する複数のスイッチ（２１，２２）と、を備え、前記複数のスイッチは、互いに隣接するよう前記操作パネル本体に装着され、当該操作パネルが前記複数の機能すべてを有する機種の電子楽器に搭載される場合には、前記複数のスイッチそれぞれを覆うよう配置されて演奏者による押圧力を前記複数のスイッチそれぞれに伝達する複数のカバー（２４，２５）を備えるとともに前記回路基板については前記複数のスイッチのうちの何れかが押圧された場合にその押圧されたスイッチに対応する機能を実現するよう設定され、一方、当該操作パネルが前記複数の機種のうちの何れかである特定の機能を有する機種の電子楽器に搭載される場合には、前記複数のスイッチすべてを覆うよう配置されて演奏者による押圧力を前記複数のスイッチそれぞれに伝達する特定のカバー（２３）を備えるとともに前記回路基板については前記特定のカバーを介して前記複数のスイッチのうちの何れかが押圧された場合に前記特定の機能を実現するよう設定されることを特徴とする。
【０００７】
このように構成された本発明の電子楽器の操作パネルによれば、当該操作パネルが例えば上位機種といった複数の機能を有する機種の電子楽器に搭載される場合には、回路基板が、演奏者によってカバーを介して押圧されたスイッチに対応する機能を実現する。一方、当該操作パネルが例えば下位機種といった特定の機能のみを有する機種の電子楽器に搭載される場合には、演奏者によって特定のカバーを介して複数のスイッチの何れが押圧されても上述の特定の機能を実現する。このことにより、例えば上述の操作パネルを上位機種に搭載する際にはスイッチごとに各機能を対応付け、一方、操作パネルを下位機種に搭載する際には複数のスイッチに同一の機能を対応付けるといった具合に、同一の操作パネルを複数の機種に対応させることができる。したがって、本発明に係る操作パネルの生産個数を増大させてその製造コストを低減することができる。
【０００８】
なお、複数の機能とは、下位機種および上位機種に共通して搭載される機能であり、例えば音量調整機能などが挙げられる。また、特定の機能とは、上位の機種にのみ搭載される機能であり、例えば、エフェクト機能などが挙げられる。
【０００９】
また、本発明に係る操作パネルが、上述のように、下位機種といった特定の機能のみを有する機種の電子楽器に搭載される場合において、特定のカバーを複数のスイッチすべてを覆うよう配置するためには、特定のカバーについては、前記複数のスイッチすべてを覆うことが可能な寸法に形成することが考えられる(請求項２)。このことにより、例えば初心者や幼児にとって特定のカバーを押圧しやすくすることができる。
【００１０】
また、次のような第一の設定と第二の設定とで回路基板の設定を切り替え可能な設定切替手段（３０ａ）を備えることが考えられる（請求項３）。なお、第一の設定とは、回路基板が、複数のスイッチのうちの何れかが押圧された場合にその押圧されたスイッチに対応する機能を実現する設定と云う。また、第二の設定とは、回路基板が、特定のカバーを介して複数のスイッチのうちの何れかが押圧された場合に特定の機能を実現する設定を云う。このように構成すれば、回路基板の設定を例えば回路基板の製造時に作業者によって容易に切り替えることができる。
【００１１】
なおこの場合、上述の設定切替手段については、回路基板に設けられる場合や操作パネル本体に設けられる場合が考えられる。
【発明を実施するための最良の形態】
【００１２】
以下に本発明の実施形態を図面とともに説明する。
［第一実施形態］
図１は実施形態の電子楽器１の概略構成を表すブロック図である。また、図２（ａ）は下位機種である電子楽器１に搭載されたパネルＳＷ／ＬＣＤ２０を説明する説明図であり、（ｂ）は上位機種である電子楽器１に搭載されたパネルＳＷ／ＬＣＤ２０を説明する説明図である。
【００１３】
［電子楽器１の構成の説明］
電子楽器１は、図１に示すように、鍵盤１０、ＭＩＤＩ規格に基づくＭＩＤＩ信号が入出力されるＭＩＤＩ１５、パネルＳＷ／ＬＣＤ２０、ＣＰＵ３０、プログラムデータやデータを記憶したプログラム・データメモリ３１、ＣＰＵ３０がデータを一時記憶するためのワークＲＡＭ３２、種々の波形データを記憶した波形メモリ４２、波形メモリ４２から波形データを読み込んで楽音波形を生成する音源回路４０、音源回路４０が生成した楽音波形を加工して出力するＤＳＰ５０、ディジタル信号をアナログ信号に変換するＤＡＣ６０（Ｒ、Ｌ）、アナログ信号を増幅するアンプ７０（Ｒ、Ｌ）および放音装置であるスピーカー８０（Ｒ、Ｌ）を備えている。また、これらのうち、鍵盤１０、ＭＩＤＩ１５、パネルＳＷ／ＬＣＤ２０、ＣＰＵ３０、プログラム・データメモリ３１、ワークＲＡＭ３２および音源回路４０は、バスライン９０によりそれぞれデータ送受可能に接続されている。
【００１４】
なお、パネルＳＷ／ＬＣＤ２０は特許請求の範囲における操作パネル本体に該当するとともに、ＣＰＵ３０は特許請求の範囲における回路基板に該当し、これらパネルＳＷ／ＬＣＤ２０およびＣＰＵ３０が「電子楽器の操作パネル」を構成する。
【００１５】
［鍵盤１０の構成の説明］
これらのうち、鍵盤１０は、発生すべき楽音の音高を選択するための複数の鍵（キー、本実施形態では８８鍵）を備えている。各音高の楽音にはそれぞれ番号（キーコード）が付与されており、キーを押下することによりキーコードを指定して、所望の音高の楽音を発音させることができる。また各キーに対応して、そのキーの押鍵・離鍵を検出するための鍵スイッチが設けられている。この鍵スイッチは、２つの接点（第１接点、第２接点）を備えており、キーが押下されるとまず第１接点がオンされ、更に押下されると第２接点がオンされるよう構成されている。また、離鍵の場合には、反対に第２接点、第１接点の順にオフされる。これら接点がオン又はオフされた旨の情報は、内蔵するスキャン回路が各鍵スイッチをスキャンすることにより検出され、キーコードと共に、バスライン９０に送出する。バスラインに送出されたキーオン／オフ情報及びキーコードは、ＣＰＵ３０及び音源回路４０に取込まれ、またＣＰＵ３０の制御下でワークＲＡＭ３２に記憶される。
【００１６】
［パネルＳＷ／ＬＣＤ２０の構成の説明］
また、パネルＳＷ／ＬＣＤ２０には、液晶表示板、ＬＥＤ等のパネル表示装置や、当該電子楽器１に各種の情報、指令を入力するための操作子が多数設けられている。このうちパネル表示装置はＣＰＵ３０の指示を受けて電子楽器１の状態等を表示するためのＬＥＤを点灯・消灯させる。一方、操作子としては、例えば、当該電子楽器１をＡＯＣモードやＡＵＴＯモード（自動伴奏モード）にするためのモード選択スイッチや、当該電子楽器１がＡＵＴＯモードであるときに自動演奏のリズム伴奏を開始および停止させるためのＳＴＡＲＴ／ＳＴＯＰスイッチ、音色を選択するための音色スイッチ、エフェクトを選択するためのエフェクトスイッチ、リバーブを選択するためのリバーブスイッチ、効果音を選択するための効果音スイッチ、ボリュームコントローラなどが設けられている。つまり、操作子としての各種スイッチには、当該電子楽器１に搭載される各種機能がそれぞれ割り当てられている。そして、これら各種スイッチ、ボリュームコントローラのオン／オフやポジション等は、内蔵するパネルスキャンにて検出される。それらのスイッチ情報は、パネルスキャンからバスラインに送出され、ＣＰＵ３０の制御下でワークＲＡＭ３２に記憶される。
【００１７】
［ＣＰＵ３０およびプログラム・データメモリ３１の構成の説明］
さらに、ＣＰＵ３０は、このプログラム・データメモリ３１のプログラムデータに従って動作し、電子楽器１の各部の動作を制御する。また、ＣＰＵ３０はメイン処理を実行する。すなわち、電子楽器１の電源がオンされると、ＣＰＵ３０は、各種の初期化処理を行う。以後は、パネルＳＷ／ＬＥＤ２０の各種スイッチ、ボリュームコントローラのオン／オフやポジション等に応じて、音色、エフェクト、音量等を設定するためのパネル処理、キーオン／オフに対応しての発音、消音を実行するための処理であるキーイベント、その他の処理を繰り返し実行する。
【００１８】
なお、各処理については公知技術に従っているのでここではその詳細な説明は省略する。
［音色スイッチ２１，２２の設定およびＣＰＵ３０の設定について］
ここで、当該電子楽器１が基本的な機能を有する下位機種である場合を例にパネルＳＷ／ＬＣＤ２０の２つの音色スイッチの設定およびＣＰＵ３０の設定について説明する。パネルＳＷ／ＬＣＤ２０が備える音色スイッチ２１，２２については、互いに隣接するようパネルＳＷ／ＬＣＤ２０上に装着されている。また、パネルＳＷ／ＬＣＤ２０は、音色スイッチ２１，２２を覆うカバー２３を備える。なお、カバー２３については、隣接する複数の音色スイッチ２１，２２を覆うことが可能な寸法に形成される。そして、ＣＰＵ３０については、カバー２３によって覆われた隣接する複数の音色スイッチ２１，２２のうちの何れかが押圧された場合にその押圧されたスイッチ２１，２２に対応する機能を実現するよう設定される。なお、カバー２３は「特定のカバー」に該当する。
【００１９】
次に、当該電子楽器１が基本的な機能および付加的な機能を有する上位機種である場合を例にパネルＳＷ／ＬＣＤ２０の２つの音色スイッチの設定およびＣＰＵ３０の設定について説明する。パネルＳＷ／ＬＣＤ２０が備える音色スイッチ２１，２２については、同様に、互いに隣接するようパネルＳＷ／ＬＣＤ２０上に装着されている。また、パネルＳＷ／ＬＣＤ２０は、音色スイッチ２１，２２それぞれを覆うカバー２４，２５を備える。なお、カバー２４，２５については、それぞれが音色スイッチ２１，２２それぞれを覆うことが可能な寸法に形成される。一方、ＣＰＵ３０は、カバー２４によって覆われた音色スイッチ２１が押圧された場合にその押圧された音色スイッチ２１に対応する機能を実現し、カバー２５によって覆われた音色スイッチ２２が押圧された場合にその押圧されたスイッチ２２に対応する機能を実現するよう設定される。
【００２０】
そして、ＣＰＵ３０については、上述のような当該電子楽器１の複数の機種に対応するために、音色スイッチ２１，２２のうちの何れかが押圧された場合にその押圧された音色スイッチに対応する機能を実現する設定（第一の設定）と、カバー２３を介して複数の音色スイッチ２１，２２のうちの何れかが押圧された場合に特定の機能を実現する設定（第二の設定）とでＣＰＵ３０の設定を切り替え可能な切替スイッチ３０ａを備えている。なお、パネルＳＷ／ＬＣＤ２０およびＣＰＵ３０は回路基板に該当する。また、切替スイッチ３０ａは設定切替手段に該当する。
【００２１】
なお、上記記載では２つの音色スイッチの設定について説明したが、３つ以上の音色スイッチの設定についても同様に可能である。また、上述のエフェクトスイッチやリバーブスイッチ、効果音スイッチなどについても、当該電子楽器１の機種に応じた設定が可能であるが、その設定については上述の音色スイッチの設定と同様であるのでここではその詳細な説明は省略する。
【００２２】
［音源回路４０および波形メモリ４２の構成の説明］
また、音源回路４０は、同時に６４音を発音可能な、Wave Table Look Up方式のＰＣＭ波形読み出しタイプであり、図２にも示すように、楽音波形を生成するものである（図２における楽音生成手段に該当する）。また、効果音波形を生成する効果音波形生成手段としても機能する。具体的には、音源回路４０は、種々の波形データを格納している波形ＲＯＭ４２から読み込んだ波形データに基づいて楽音波形および効果音波形を生成する。また、音源回路４０は、アサイメントメモリ（図示省略）を内包しており、このアサイメントメモリにはキーアサイメント情報（キーコード、そのオン／オフ情報、各種スイッチのオン／オフ情報、エフェクトデータなど）が記憶される。なお、波形データメモリ４２に記憶されている楽音の音色の具体例としては、「コンサートグランド」や「メローグランド」、「ブライトピアノ」、「ロックピアノ」、「エレクトリックピアノ」、「ジャズオルガン」、「チャーチオルガン」、「ハープシコード」、「ビブラホン」、「ストリングアンサンブル」、「クワイヤー」、「ファンタジー」、「ウッドベース」、「ベース＆ライド」、「エレクトリックベース」などが挙げられる。また、波形データメモリ４２に記憶されている、特定の情景を表す効果音群（その構成する効果音）の具体例としては、「浜辺（波の音、かもめの鳴き声、汽笛）」や「森林（木のすれる音、小川のせせらぎ、小鳥の鳴き声、雷）」、「ジャングル（木のすれる音、鳥の鳴き声）」、「ニューヨークの摩天楼（風の音、ジェット機の音）」、「カクテルバー（ざわめき、グラス音、合いの手）」、「ステージ（ざわめき、咳の音、掛け声、拍手）」、「街角（自動車の音、歩く音、警笛）」などが挙げられる。
【００２３】
なお、上述の楽音の音色の具体例、特定の情景を表す効果音群については、当該電子楽器１が下位機種である場合にはこれらの一部が搭載され、当該電子楽器１が上位機種である場合にはこれらのうち下位機種に比べて多くの種類が搭載される。一例を挙げると、当該電子楽器１が上位機種である場合には、上述の「コンサートグランド」、「メローグランド」、「ブライトピアノ」、「ロックピアノ」および「エレクトリックピアノ」を搭載されるのに対して、当該電子楽器１が下位機種である場合には、「コンサートグランド」、「ブライトピアノ」および「エレクトリックピアノ」のみを搭載されるといった具合である。また、当該電子楽器１が上位機種である場合には、音色スイッチ２１には「コンサートグランド」が割り当てられるとともに、音色スイッチ２２には「メローグランド」が割り当てられ、それぞれの音色スイッチに対してカバー２４，２５が取り付けられるのに対して、当該電子楽器１が上位機種である場合には、音色スイッチ２１および音色スイッチ２２に「コンサートグランド」が割り当てられ、これら音色スイッチ２１，２２に対してカバー２３が取り付けられるといった具合である。
【００２４】
［ＤＳＰ５０の構成の説明］
また、ＤＳＰ５０は、音源回路４０が生成した楽音波形や効果音波形にエフェクト付与処理を行うようにプログラミングされたディジタル信号処理装置である。さらにこのＤＳＰ５０は、その内部にプログラムやエフェクトデータ、リバーブデータなどを記憶している。ここで、エフェクトデータの具体例としては、音の残響効果を加える「リバーブ」や三段階の反響効果が楽しめる「ディレイ」、音に広がりを加える「コーラス」、揺らぎを与える「トレモロ」、オルガンに用いられるロータリースピーカーをシミュレートした「ロータリー」などが挙げられる。また、リバーブデータの具体例としては、ステージでの残響効果を再現する「ステージリバーブ」やコンサートホールでの残響効果を再現する「ホールリバーブ」、演奏者を包み込む三次元リバーブである「３Ｄホールリバーブ」などが挙げられる。
【００２５】
なお、上述のエフェクトデータについても同様に、当該電子楽器１が下位機種である場合にはこれらの一部が搭載され、当該電子楽器１が上位機種である場合にはこれらのうち下位機種に比べて多くの種類が搭載される。
【００２６】
このように構成されたＤＳＰ５０は、音源回路４０が生成した楽音波形や効果音波形が入力されると、パネルＳＷ／ＬＣＤ２０の音色スイッチで選択・設定された音色に対応したエフェクトを、音源回路４０が生成した楽音波形に付与する。なお、この場合の音色に対応したエフェクトの具体例としては、ピアノ系の音色に対して「スルー」、ストリングス系の音色に対して「アンサンブル」、オルガン系の音色に対して「ロータリー」、グロッケン系の音色に対して「ディレイ」などである。続いて、エフェクトが付与された楽音波形と、効果音波形とを加算し（以下、合成波形と称す。）、パネルＳＷ／ＬＣＤ２０のリバーブスイッチで選択・設定されたリバーブをこの合成波形に付与してＤＡＣ６０に出力する。なお、効果音波形のみが入力された際には、その効果音波形にリバーブを付与して出力する。
【００２７】
［その他の構成の説明］
また、ＤＳＰ５０にはディジタルアナログコンバータ（ＤＡＣ）６０Ｌ、アンプ（Ａｍｐ）７０Ｌ及びスピーカー（ＳＰ）８０Ｌからなる左出力系と同様にＤＡＣ６０Ｒ、Ａｍｐ７０Ｒ及びＳＰ８０Ｒからなる右出力系とが接続されており、左右出力系は、それぞれＤＳＰ５０から出力される合成波形（デジタル信号）をアナログ信号に変換し、増幅し、音声出力する。
【００２８】
なお、電子楽器１の他の構成は公知技術に従っているので詳細な説明は省略する。
［第一実施形態の効果］
このように第一実施形態の電子楽器１によれば、当該電子楽器１が下位機種である場合には、互いに隣接するようパネルＳＷ／ＬＣＤ２０上に装着された音色スイッチ２１，２２がカバー２３によって覆われ、ＣＰＵ３０については、音色スイッチ２１，２２のうちの何れが押圧されても同一の機能を実現するよう設定され、一方、当該電子楽器１が上位機種である場合には、音色スイッチ２１，２２がカバー２４，２５によってそれぞれ覆われ、ＣＰＵ３０については、音色スイッチ２１がカバー２４を介して押圧された場合には音色スイッチ２１に対応する機能を実現し、音色スイッチ２２がカバー２５を介して押圧された場合には音色スイッチ２２に対応する機能を実現するよう設定される。このことにより、例えば上述のパネルＳＷ／ＬＣＤ２０を上位機種の電子楽器１に搭載する際には音色スイッチ２１，２２それぞれに各機能を対応付け、一方、パネルＳＷ／ＬＣＤ２０を下位機種の電子楽器１に搭載する際には音色スイッチ２１，２２に同一の機能を対応付けるといった具合に、同一のパネルＳＷ／ＬＣＤ２０を複数の機種に対応させることができる。したがって、電子楽器１に搭載されるパネルＳＷ／ＬＣＤ２０の生産個数を増大させてその製造コストを低減することができる。
【００２９】
（２）また、第一実施形態の電子楽器１によれば、パネルＳＷ／ＬＣＤ２０が上位機種の電子楽器１に搭載される場合には、カバー２３については、隣接する複数の音色スイッチ２１，２２を覆うことが可能な寸法に形成される。このことにより、例えば初心者や幼児にとってカバー２３を押圧しやすくすることができる。
【００３０】
（３）また、第一実施形態の電子楽器１によれば、ＣＰＵ３０については、当該電子楽器１の複数の機種に対応するために、音色スイッチ２１，２２のうちの何れかが押圧された場合にその押圧された音色スイッチに対応する機能を実現する設定（第一の設定）と、カバー２３を介して複数の音色スイッチ２１，２２のうちの何れかが押圧された場合に特定の機能を実現する設定（第二の設定）とでＣＰＵ３０の設定を切り替え可能な切替スイッチ３０ａを備えている。このことにより、ＣＰＵ３０の設定を、例えば電子楽器１の製造時に作業者によって容易に切り替えることができる。
【００３１】
［他の実施形態］
以上、本発明の一実施形態について説明したが、本発明は上記実施形態に限定されるものではなく、以下のように様々な態様にて実施することが可能である。
【００３２】
（１）上記実施形態では、ＣＰＵ３０が、音色スイッチ２１，２２のうちの何れかが押圧された場合にその押圧された音色スイッチに対応する機能を実現する設定（第一の設定）と、カバー２３を介して複数の音色スイッチ２１，２２のうちの何れかが押圧された場合に特定の機能を実現する設定（第二の設定）とでＣＰＵ３０の設定を切り替え可能な切替スイッチ３０ａを備えているが、これには限られず、パネルＳＷ／ＬＣＤ２０が第一の設定と第二の設定とでＣＰＵ３０の設定を切り替え可能な切替スイッチを備えるようにしてもよい。なおこの場合、演奏者には操作ができないように、切替スイッチをパネルＳＷ／ＬＣＤ２０の側面や裏面に設置することが望ましい。このことにより、ＣＰＵ３０の設定を、例えば電子楽器１の製造時に作業者によって容易に切り替えることができる。
【００３３】
（２）上記実施形態では、例えば電子ピアノや電子オルガンなどの鍵盤１０を備える電子楽器１に本発明を適用した例を挙げたが、これには限られず、例えばシーケンサや音源モジュールなどの鍵盤を備えない電子楽器に本発明を適用してもよい。
【図面の簡単な説明】
【００３４】
【図１】第一実施形態の電子楽器の概略構成を表すブロック図である。
【図２】（ａ）は下位機種である電子楽器に搭載されたパネルＳＷ／ＬＣＤ２０を説明する説明図であり、（ｂ）は上位機種である電子楽器に搭載されたパネルＳＷ／ＬＣＤ２０を説明する説明図である。
【符号の説明】
【００３５】
１…電子楽器、１０…鍵盤、１５…ＭＩＤＩ、２０…パネルＳＷ／ＬＥＤ、２１，２２…音色スイッチ、２３，２４，２５…カバー、３０…ＣＰＵ、３０ａ…切替スイッチ、３１…プログラム・データメモリ、３２…ワークＲＡＭ、４０…音源回路、４２…波形メモリ、５０…ＤＳＰ、６０…ＤＡＣ、７０…アンプ、８０…スピーカー、９０…バスライン
【図１】
2008003378.tif 000003
【図２】
2008003378.tif 000004